(57)【要約】      （修正有）【課題】拡大翼の動作時間を短くし、且つ、小型で大径の拡大孔を掘削できる拡大掘削工法および装置を提供する。【解決手段】地盤に圧入するケーシングＫと同径であって所定深度の縦杭用の縦穴５を予め掘削し、縦穴５に拡大掘削装置１０を挿入してケーシングＫに固定保持し、ケーシングＫの回転により拡大掘削装置１０を駆動回転させながら取付軸１１中心に拡大翼１２を横軸回動させてケーシングＫの外径より外側に拡開させて、一段目拡大穴１４を掘削する。次に、拡大掘削装置１０を縦穴５の穴底面１３まで下降させ、拡縮用シリンダ４０を伸長させて翼体３５の基部の取付軸１１の位置を外側に移動させ、拡大翼１２を取付軸１１中心に横軸回動させてケーシングＫの外径より外側に拡開させて二段目拡大穴を掘削する。【選択図】図３
2016089493.tif 000002
【特許請求の範囲】
【請求項１】
地盤Ｗに圧入するケーシングＫと同径であって所定深度の縦杭Ｔ用の縦穴５を予め掘削し、該縦穴５の穴底面１３より上方の所定位置に位置するように、ケーシングＫから横軸芯の取付軸１１中心に回動すると共に全体が横移動する拡大翼１２を有する拡大掘削装置１０を挿入し、拡大掘削装置１０の保持固定装置２０により拡大掘削装置１０をケーシングＫに固定保持し、ケーシング回転圧入装置１により駆動回転するケーシングＫの回転を保持固定装置２０により拡大掘削装置１０に伝達して駆動回転させ、駆動回転させながら取付軸１１中心に拡大翼１２を横軸回動させてケーシングＫの外径より外側に拡開させて、一段目の一段目拡大穴１４を掘削し、次に、拡大掘削装置１０を縦穴５の穴底面１３まで下降させ、再び、ケーシングＫの駆動回転を保持固定装置２０により拡大掘削装置１０に伝達して駆動回転させ、駆動回転中に拡大翼１２を取付軸１１中心に横軸回動させてケーシングＫの外径より外側に拡開させると共に、拡大翼１２全体を横移動させて二段目の二段目拡大穴１５を掘削する場所打ち杭の拡大掘削工法。
【請求項２】
請求項１において、前記拡大掘削装置１０は、保持固定装置２０の下方に長さ変更可能な調整ロッド２６を介して前記拡大翼１２を設け、一段目の一段目拡大穴１４の掘削後、一旦、拡大掘削装置１０をケーシングＫより引き上げ、縦穴５の穴底面１３の上面に拡大掘削装置１０の拡大翼１２の下部が位置するように調整ロッド２６の長さを変更調節して、再び、ケーシングＫより縦穴５に挿入して保持固定装置２０により拡大掘削装置１０をケーシングＫに固定保持し、再び、ケーシングＫの駆動回転を保持固定装置２０により拡大掘削装置１０に伝達して駆動回転させ、駆動回転中に拡大翼１２を取付軸１１中心に横軸回動させてケーシングＫの外径より外側に拡開させると共に、拡大翼１２全体を横移動させて二段目の二段目拡大穴１５を掘削する場所打ち杭の拡大掘削工法。
【請求項３】
ケーシングＫの内周面に当接して装置全体をケーシングＫと固定状態とする保持固定装置２０を設け、該保持固定装置２０に長さ変更自在の調整ロッド２６の上部を取付け、調整ロッド２６の下部に取付けたバケットホルダ２９には拡大翼１２を支持するスライドボックス３０を横移動自在に取付け、バケットホルダ２９とスライドボックス３０の間にスライドボックス３０を横移動させる上下一対の移動用シリンダ３１を設け、前記スライドボックス３０の上部には拡大翼１２の上部を横軸芯の取付軸１１により回動自在に取付け、拡大翼１２の上下中間部には一端を前記スライドボックス３０に取付けた拡縮用シリンダ４０の他端を取付けた、場所打ち杭の拡大掘削装置。
【請求項４】
請求項３において、前記拡大翼１２の左右側面には掘削中心方向に突出する板状の拡開ガイド４２を設け、該拡開ガイド４２はスライドボックス３０の左右の案内面４３の内側に位置させた場所打ち杭の拡大掘削装置。
【請求項５】
請求項３または請求項４において、前記スライドボックス３０の上端部には上方に至るに従い内側に位置するように傾斜させた傾斜部４１を設けた場所打ち杭の拡大掘削装置。
【請求項６】
請求項３または請求項４または請求項５において、前記拡大翼１２は、拡大穴６の下部に円柱状の拡大円柱穴部６Ａを形成する縦状掘削部４５を翼体３５の下部に設けて構成し、縦状掘削部４５と翼体３５との間には縦状掘削部４５の角度を変更する角度調整スペーサ４７を設けた場所打ち杭の拡大掘削装置。
【発明の詳細な説明】
【技術分野】
【０００１】
本発明は、場所打ち杭の拡大掘削工法および場所打ち杭の拡大掘削装置に係るものである。
【背景技術】
【０００２】
従来、掘削ヘッドの下部に軸心に対して放射方向に拡大翼を出入りさせて場所打ち用の杭の拡大穴を掘削する方法は、公知である（特許文献１参照）。
また、従来、円筒状のバケットの一部を縦軸心に回動自在に構成して、この回動部分を拡大翼とした構成も、公知である（特許文献２参照）。
【先行技術文献】
【特許文献】
【０００３】
【特許文献１】特開２００５−６１２０５号公報
【特許文献１】特開２０１３−５３４６９号公報
【発明の概要】
【発明が解決しようとする課題】
【０００４】
前記公知例のうち前者のものは、拡大翼の上下幅を十分に取れないので、拡大翼を拡開させながら少しずつ下降させることになり、掘削作業時間が長くなるという課題がある。
前記公知例のうち後者のものは、バケットの長さを長くすることにより、拡大翼の上下長さを十分確保して、一工程による掘削が可能となって、前者の公知例の課題はある程度解決しているが、拡大翼を縦軸回動させるので、拡大翼の掘削長が長くなり、そのため、掘削面圧が低下し、適用地盤が限られるという課題がある。
本願は、拡大翼の作動構成を工夫することにより、適用地盤の範囲の拡大を図ったものである。
【課題を解決するための手段】
【０００５】
請求項１の発明は、地盤Ｗに圧入するケーシングＫと同径であって所定深度の縦杭Ｔ用の縦穴５を予め掘削し、該縦穴５の穴底面１３より上方の所定位置に位置するように、ケーシングＫから横軸芯の取付軸１１中心に回動すると共に全体が横移動する拡大翼１２を有する拡大掘削装置１０を挿入し、拡大掘削装置１０の保持固定装置２０により拡大掘削装置１０をケーシングＫに固定保持し、ケーシング回転圧入装置１により駆動回転するケーシングＫの回転を保持固定装置２０により拡大掘削装置１０に伝達して駆動回転させ、駆動回転させながら取付軸１１中心に拡大翼１２を横軸回動させてケーシングＫの外径より外側に拡開させて、一段目の一段目拡大穴１４を掘削し、次に、拡大掘削装置１０を縦穴５の穴底面１３まで下降させ、再び、ケーシングＫの駆動回転を保持固定装置２０により拡大掘削装置１０に伝達して駆動回転させ、駆動回転中に拡大翼１２を取付軸１１中心に横軸回動させてケーシングＫの外径より外側に拡開させると共に、拡大翼１２全体を横移動させて二段目の二段目拡大穴１５を掘削する場所打ち杭の拡大掘削工法としたものである。
請求項２の発明は、前記拡大掘削装置１０は、保持固定装置２０の下方に長さ変更可能な調整ロッド２６を介して前記拡大翼１２を設け、一段目の一段目拡大穴１４の掘削後、一旦、拡大掘削装置１０をケーシングＫより引き上げ、縦穴５の穴底面１３の上面に拡大掘削装置１０の拡大翼１２の下部が位置するように調整ロッド２６の長さを変更調節して、再び、ケーシングＫより縦穴５に挿入して保持固定装置２０により拡大掘削装置１０をケーシングＫに固定保持し、再び、ケーシングＫの駆動回転を保持固定装置２０により拡大掘削装置１０に伝達して駆動回転させ、駆動回転中に拡大翼１２を取付軸１１中心に横軸回動させてケーシングＫの外径より外側に拡開させると共に、拡大翼１２全体を横移動させて二段目の二段目拡大穴１５を掘削する場所打ち杭の拡大掘削工法としたものである。
請求項３の発明は、ケーシングＫの内周面に当接して装置全体をケーシングＫと固定状態とする保持固定装置２０を設け、該保持固定装置２０に長さ変更自在の調整ロッド２６の上部を取付け、調整ロッド２６の下部に取付けたバケットホルダ２９には拡大翼１２を支持するスライドボックス３０を横移動自在に取付け、バケットホルダ２９とスライドボックス３０の間にスライドボックス３０を横移動させる上下一対の移動用シリンダ３１を設け、前記スライドボックス３０の上部には拡大翼１２の上部を横軸芯の取付軸１１により回動自在に取付け、拡大翼１２の上下中間部には一端を前記スライドボックス３０に取付けた拡縮用シリンダ４０の他端を取付けた、場所打ち杭の拡大掘削装置としたものである。
請求項４の発明は、前記拡大翼１２の左右側面には掘削中心方向に突出する板状の拡開ガイド４２を設け、該拡開ガイド４２はスライドボックス３０の左右の案内面４３の内側に位置させた場所打ち杭の拡大掘削装置としたものである。
請求項５の発明は、前記スライドボックス３０の上端部には上方に至るに従い内側に位置するように傾斜させた傾斜部４１を設けた場所打ち杭の拡大掘削装置としたものである。
請求項６の発明は、前記拡大翼１２は、拡大穴６の下部に円柱状の拡大円柱穴部６Ａを形成する縦状掘削部４５を翼体３５の下部に設けて構成し、縦状掘削部４５と翼体３５との間には縦状掘削部４５の角度を変更する角度調整スペーサ４７を設けた場所打ち杭の拡大掘削装置としたものである。
【発明の効果】
【０００６】
請求項１の発明では、上下二段に分けて施工するので、拡大翼１２の長さを短くして単位面積当たりの切削面の面圧を上げることができ、適用地盤の範囲を拡大することができる。
請求項２の発明では、拡大掘削装置１０をケーシングＫに挿入して固定保持する際に、上下二段の施工であっても、ケーシングＫに対する拡大掘削装置１０の保持位置を変更しないで施工できる。
請求項３の発明では、拡大翼１２を横軸芯の取付軸１１中心の回動により拡開させてから、拡大翼１２を横移動させて拡開させて掘削するので、上下二段に分けて施工することができ、切削面の面圧を上げることができ、適用地盤の範囲を拡大することができる。
請求項４の発明では、拡開ガイド４２により拡大翼１２の撓みを抑制することにより、拡開作業を安定して行うことができる。
請求項５の発明では、油圧系統の故障等があっても拡大翼１２を閉縮させることができ、トラブル発生を抑制できる。
請求項６の発明では、  縦状掘削部４５と角度調整スペーサ４７により、拡大穴６の下部に所望形状で精度の高い円柱状の拡大円柱穴部６Ａを容易に形成することができる。
【図面の簡単な説明】
【０００７】
【図１】ケーシング回転圧入装置および拡大掘削装置の正面図。
【図２】拡大翼が拡開状態の拡大掘削装置の一部を省略した正面図。
【図３】拡大翼が拡開状態の拡大掘削装置の正面図。
【図４】（Ａ）縦状掘削部の角度変更状態の内側から見た側面図。                        （Ｂ）縦状掘削部の角度変更状態の正面図。
【図５】拡大翼の横移動状態のＡ断面図。
【図６】拡大翼の格納状態のＢ断面図。
【図７】拡大翼の横移動状態のＢ断面図。
【図８】拡大翼の横移動途中状態のＣ断面図。
【図９】拡大翼の横移動終了状態のＣ断面図。
【図１０】拡大翼の格納状態のＤ断面図。
【図１１】拡大翼の横移動途中状態のＤ断面図。
【図１２】拡大翼の横移動終了状態のＤ断面図。
【図１３】一段目掘削開始状態正面図。
【図１４】一段目掘削終了状態正面図。
【図１５】二段目掘削開始状態正面図。
【図１６】二段目掘削終了状態正面図。
【発明を実施するための形態】
【０００８】
本発明の拡大掘削工法および該工法を実施する装置の一実施形態を図により説明する。１はケーシング全旋回型のケーシング回転圧入装置であり、ケーシング回転圧入装置１は地盤Ｗ上に設置してケーシングＫを地盤Ｗに圧入する。ケーシング回転圧入装置１は、ケーシングＫを地盤Ｗに圧入できればよく、構成は任意であり、図示は省略するが、ベースフレームとベースフレームに対して昇降する昇降フレームとケーシングＫを固定状態に保持するケーシング固定機構と、ケーシング固定機構により固定したケーシングＫを駆動回転させるケーシング駆動回転機構を設け、ケーシング固定機構により固定したケーシングＫをケーシング駆動回転機構により駆動回転させながら圧入する。
【０００９】
次に、ケーシングＫ内に、掘削装置（図示省略）を挿入して、所定径であって所定深度の縦杭用の縦穴５を予め掘削する。
次に、縦穴５の直径に対して大径の拡大球根を形成するための拡大穴６の掘削を行う拡大掘削装置１０を挿入する。
拡大掘削装置１０は、横軸芯の取付軸１１により回動自在であって横方向にスライド自在の拡大翼１２を有して構成し、取付軸１１を格納位置に位置させた状態で、予め所定深さに掘削した縦穴５の穴底面１３より所定高さ上方に拡大翼１２を位置させて、拡大翼１２の下部を取付軸１１中心に上方回動させながら駆動回転させて一段目の一段目拡大穴１４を掘削し、次に、上方回動させた拡大翼１２を一旦格納して縦穴５の穴底面１３まで下降させて、拡大翼１２の下部を取付軸１１中心に上方回動させると共に、拡大翼１２全体を横方向にスライドさせつつ再び駆動回転させて二段目の二段目拡大穴１５の掘削をする。
【００１０】
そのため、上段の一段目拡大穴１４と下段の二段目拡大穴１５の２回に分けて施工するので、拡大掘削装置１０の小型軽量化が図れる。
拡大翼１２の下部を取付軸１１中心に上方回動させながら掘削するので、切削面の面圧を上げられる。
そして、下段の二段目拡大穴１５の掘削では、拡大翼１２全体を横方向にスライドさせて掘削するので、掘削径の大きな二段目拡大穴１５を簡単に掘削可能となる。
【００１１】
この二段式拡大掘削工法を実施する拡大掘削装置１０の構成は、横軸芯の取付軸１１により回動自在であって横方向にスライド自在の拡大翼１２を有して構成すればよく、他の構成は任意であるが、以下、一例を示す。
拡大掘削装置１０は、上部に拡大掘削装置１０をケーシングＫの内周面に固定する保持固定装置（グリッパー）２０を設け、保持固定装置２０の上側にクレーン（図示省略）のワイヤーの先端を接続する取付部２１を設ける。保持固定装置２０の構成は任意であるが、グリッパーフレーム２２に対して放射方向に出入りする当接体２３を周方向に複数設けて構成し、当接体２３をケーシングＫの内面に当接させて拡大掘削装置１０をケーシングＫと一体駆動回転させる。
【００１２】
保持固定装置２０のグリッパーフレーム２２には調整ロッド２６の上部を取付ける。調整ロッド２６は長さを変更自在に構成する。調整ロッド２６の長さを変更する構成は任意であるが、例えば、複数の継ぎ手部材２７を夫々着脱自在に連結して構成する。
調整ロッド２６の下部にはスタビライザー２８を取付ける。スタビライザー２８はケーシングＫの内周面に当接し、ケーシングＫの下端より下方の拡大掘削装置１０の部分の揺れや振動発生を抑制する。
【００１３】
スタビライザー２８の下面側には、バケットホルダ２９を設ける。バケットホルダ２９は縦長の剛体部材により形成し、バケットホルダ２９には縦穴５の径方向で一対のスライド溝２９Ａを設ける。バケットホルダ２９の一対のスライド溝２９Ａにはスライドボックス３０を縦穴５の径方向に移動自在に取付ける。
スライドボックス３０の形状は任意であるが、少なくとも、上面板部３３と下面板部３４とこれらを連結する連結部３７を有し、バケットホルダ２９に上下一対に設けた案内ローラー３２により上下方向から挟持して横方向に移動自在に支持する。
【００１４】
スライドボックス３０の上下所定部分とバケットホルダ２９との間には上下一対の移動用シリンダ３１を夫々設ける。移動用シリンダ３１の一端はスライドボックス３０側に取付け、移動用シリンダ３１の他端はバケットホルダ２９側に取付け、移動用シリンダ３１を伸縮させることによりスライドボックス３０を縦穴５の径方向に移動させる。
スライドボックス３０の上部には拡大翼１２の上部を取付軸１１により回動自在に取付ける。拡大翼１２は、上下方向に所定長さを有する翼体３５の外面に掘削体（掘削ビット）３６を長さ方向に所定間隔をおいて複数並設する。
【００１５】
翼体３５の上下中間所定位置には拡縮用シリンダ４０の一端を取付け、拡縮用シリンダ４０の他端はスライドボックス３０側に取付ける。拡縮用シリンダ４０は伸長すると、翼体３５を取付軸１１中心に外回動させて、拡大翼１２をケーシングＫの外径より外側に位置する下広がり状態に傾斜拡大させる。拡縮用シリンダ４０を縮小させると、拡大翼１２をケーシングＫ内に格納させる。
４１はスライドボックス３０の上端部外側に上方に至るに従い内側に位置するように傾斜させた傾斜部であり、傾斜部４１は油圧系統の故障等に起因して、拡大翼１２が閉縮しないとき、ケーシングＫの内周面に当接して拡大翼１２を閉縮させるものである。
【００１６】
４２は拡大翼１２の拡開を案内する拡開ガイドであり、前記拡大翼１２の左右側面に内側に突出する板状に形成し、拡開ガイド４２はスライドボックス３０の左右の案内面４３の内側に位置させる。拡開ガイド４２は拡大翼１２が拡開するとき、スライドボックス３０の案内面４３に当接して左右方向に拡大翼１２が撓むのを抑制案内する。
翼体３５の下部には、拡大穴６の下部に円柱状の拡大円柱穴部６Ａを形成する縦状掘削部４５を設ける。縦状掘削部４５は、その上部を下側取付軸４６により翼体３５の下部に回動自在に取付ける。縦状掘削部４５と翼体３５との間には角度調整スペーサ４７を設ける。角度調整スペーサ４７は縦状掘削部４５と翼体３５に夫々支持部４８を設け、縦状掘削部４５と翼体３５の各支持部４８を連結体５０により連結する。連結体５０は縦状掘削部４５と翼体３５の各支持部４８の間の間隔を調節自在とし、この間隔を変更することにより翼体３５に対する縦状掘削部４５の角度を変更調節する。
【００１７】
縦状掘削部４５の内側には拡大掘削装置１０の中心に向かって突出するスクレーパー５１を設ける。スクレーパー５１の下方にはスクレーパー５１が掻き寄せる土砂を回収する土砂受５２を設ける。５３は土砂受５２に固定した取付部、５４は取付部５３を取付けるバケットホルダ２９の下部に設けた継ぎ手である。
【００１８】
（実施形態の作用）
本発明は上記構成であるので、ケーシング回転圧入装置１およびアースドリル等の掘削装置（図示省略）により、地盤Ｗに予め所定径であって所定深度の縦杭用の縦穴５を掘削する。
次に、縦穴５に拡大掘削装置１０を挿入したときに、予め所定深さに掘削した縦穴５の穴底面１３より所定高さ上方に拡大掘削装置１０の下端が位置するように、調整ロッド２６の長さを調節し、かつ、取付軸１１および拡大翼１２を格納位置に位置させて、拡大翼１２を閉縮させた状態で、縦穴５に挿入し、所定位置にて保持固定装置２０により拡大掘削装置１０をケーシングＫに固定保持する。
この状態で、保持固定装置２０によりケーシングＫの回転を拡大掘削装置１０に伝達して駆動回転させながら、拡縮用シリンダ４０を伸長させて、拡大翼１２をケーシングＫの外径より外側に拡開させて、一段目の一段目拡大穴１４を掘削する。
【００１９】
次に、保持固定装置２０によるケーシングＫへの固定を一旦解除して、拡大掘削装置１０をケーシングＫより引き抜き、調整ロッド２６を伸長させ、縦穴５の穴底面１３の上面に土砂受５２が位置するように調整ロッド２６の長さを調節して、再び、縦穴５に挿入して保持固定装置２０により拡大掘削装置１０をケーシングＫに固定保持する。
したがって、拡大掘削装置１０をケーシングＫに挿入して固定保持する際に、上下二段の施工であっても、二段目の二段目拡大穴１５の掘削する際の掘削ケーシングＫに対する拡大掘削装置１０の保持位置を変更しないで施工できる。
この状態で、拡大掘削装置１０をケーシングＫの回転により駆動回転させながら、拡縮用シリンダ４０を伸長させて、拡大翼１２をケーシングＫの外径より外側に拡開させると共に、上下の移動用シリンダ３１を伸長させて、移動用シリンダ３１によりスライドボックス３０全体および拡大翼１２を移動させる。
【００２０】
スライドボックス３０全体の横移動によって取付軸１１を格納位置から張出位置に位置させ、一段目の一段目拡大穴１４の傾斜面に翼体３５の傾斜が一致するようにして二段目の二段目拡大穴１５の掘削掘削作業を行う。
このように、上下二段階に分けて掘削するので、一段階にて掘削する場合に比し、拡大翼１２の長さを短くすることができ、その結果、拡大翼１２の単位面積当たりの切削面の面圧を上げることができ、適用地盤の範囲を拡大することができる。
【００２１】
また、上下二段階に分けて掘削するので、一段階にて掘削する場合に比し掘削抵抗を減らすことができ、拡大掘削装置１０の小型軽量化が図れる。
拡大翼１２は、翼体３５の下部を横軸芯の取付軸１１中心に上方回動させながら掘削するので、翼体３５の全てに同時に掘削抵抗が掛からず、掘削抵抗は徐々に大きくすることができ、掘削作業を円滑に行える。
この点でも、拡大掘削装置１０の小型軽量化が図れる。
【００２２】
二段目となる下段の二段目拡大穴１５の掘削の際には、取付軸１１中心に上方回動させつつ、拡大翼１２全体を横方向にスライドさせて掘削するので、一段目の拡大穴６の傾斜面に二段目の拡大穴６の傾斜面を一致させられ、一体状の円錐形状の拡大穴６に掘削することができる。
即ち、従来のように、当初から翼面を斜めにした拡大翼１２により複数段階の掘削作業では、拡大翼１２の傾斜が拡大穴の傾斜面に合わせることができず、一体状の円錐形状の拡大穴の掘削をすることはできないが、本願では、一体状の円錐形状の拡大穴６とすることができる。
【００２３】
拡大掘削装置１０は、上部に拡大掘削装置１０をケーシングＫの内周面に固定する保持固定装置２０に長さ変更自在の調整ロッド２６の上部を取り付けているので、調整ロッド２６の長さを変更することにより、縦穴５の穴底に対する拡大翼１２の高さを変更でき、一段目の掘削と二段目の掘削を行う。
調整ロッド２６は、複数の継ぎ手部材２７により構成しているので、一段目の掘削の際の継ぎ手部材２７の数を増やすことにより調整ロッド２６の長さを簡単に長くする。
【００２４】
調整ロッド２６の下部にはスタビライザー２８を取付けているので、拡大翼１２がケーシングＫの下方の縦穴５内で回転掘削する際に、スタビライザー２８がケーシングＫの内周面に当接して、拡大掘削装置１０の振れを抑制する。
そのため、拡大穴６の掘削精度を低下させない。
スタビライザー２８の下面側には、バケットホルダ２９を設け、バケットホルダ２９にはスライドボックス３０を縦穴５の半径方向に移動自在に取付け、バケットホルダ２９とスライドボックス３０の間に移動用シリンダ３１を設けているので、移動用シリンダ３１を縮小させた状態で拡縮用シリンダ４０を伸長させて一段目の拡大穴６を掘削する。
【００２５】
二段目の拡大穴６の掘削のときには、拡縮用シリンダ４０を伸長させて翼体３５の基部の取付軸１１の位置を外側に移動させるので、一段目の拡大穴６に比して二段目の拡大穴６の掘削径を拡大する。
移動用シリンダ３１は、スライドボックス３０の上下所定部分とバケットホルダ２９との間に設けているので、拡大翼１２の縦穴５の径方向の横移動は円滑に行われる。
【００２６】
スライドボックス３０は、バケットホルダ２９の一対のスライド溝２９Ａに縦穴５の径方向に移動自在に取付けているので、スライドボックス３０は、バケットホルダ２９の一対のスライド溝２９Ａに案内されて横移動し、拡大翼１２の横移動を円滑に行える。
また、スライドボックス３０は、上面板部３３と下面板部３４とこれらを連結する連結部３７を有して構成し、上面板部３３と下面板部３４とをバケットホルダ２９に上下一対に設けた案内ローラー３２により上下方向から挟持しているので、スライドボックス３０および拡大翼１２の横移動を円滑に行える。
【００２７】
拡大翼１２の上部をスライドボックス３０の上部に取付軸１１により回動自在に吊設し、拡大翼１２の上下中間所定位置には拡縮用シリンダ４０の先端を取付け、拡縮用シリンダ４０の基部はスライドボックス３０に取付けているので、拡大翼１２は取付軸１１と拡縮用シリンダ４０により上下二点支持され、拡縮用シリンダ４０は伸長すると、拡大翼１２を取付軸１１中心に外回動させて、拡大翼１２をケーシングＫの外径より外側に位置する下広がり状態に傾斜拡大させる。拡縮用シリンダ４０を縮小させると、拡大翼１２をケーシングＫの外径内に格納させる。
【００２８】
拡大翼１２は、横軸芯の取付軸１１により回動自在に吊設されているので、拡大翼１２の翼面は下方から側方に拡大し、拡開させるときの抵抗を徐々に大きくすることができ、小型の拡縮用シリンダ４０でも拡径させられる。
しかも、上下の二段階で拡径させるので、この点でも、拡縮用シリンダ４０の小型化が図れる。
拡大翼１２は、翼体３５の下部に拡大穴６の下部に円柱状の拡大円柱穴部６Ａを形成する縦状掘削部４５を設けて構成し、縦状掘削部４５と翼体３５との間には角度調整スペーサ４７を設けているので、角度調整スペーサ４７の連結体５０により縦状掘削部４５と翼体３５の各支持部４８の間の間隔を広げると、翼体３５と縦状掘削部４５との角度が大きくなり、間隔を狭くすると、翼体３５と縦状掘削部４５とが直線状になる。
【００２９】
拡大翼１２の左右側面には内側に突出する板状に形成した拡開ガイド４２を設けているので、拡大翼１２の拡開の際に拡開ガイド４２がスライドボックス３０の左右の案内面４３に当接して、拡大翼１２の撓むのを抑制し、掘削精度を向上させられる。
スライドボックス３０の上端部には上方に至るに従い内側に位置するように傾斜させた傾斜部４１を設けているので、油圧系統の故障等に起因して、拡大翼１２が閉縮しないときに拡大掘削装置１０を引き上げると傾斜部４１がケーシングＫの内周面に当接して拡大翼１２を閉縮させる。
【符号の説明】
【００３０】
１…ケーシング回転圧入装置、５…縦穴、６…拡大穴、６Ａ…拡大円柱穴部、１０…拡大掘削装置、１１…取付軸、１２…拡大翼、１３…穴底面、１４…一段目拡大穴、１５…二段目拡大穴、２０…保持固定装置、２１…取付部、２２…グリッパーフレーム、２３…当接体、２６…調整ロッド、２７…継ぎ手部材、２８…スタビライザー、２９…バケットホルダ、３０…スライドボックス、３１…移動用シリンダ、３２…案内ローラー、３５…翼体、３６…掘削体、４０…拡縮用シリンダ、４１…傾斜部、４２…拡開ガイド、４３…案内面、４５…縦状掘削部、４６…下側取付軸、４７…角度調整スペーサ、４８…支持部、５０…連結体、５１…スクレーパー、５２…土砂受、Ｋ…ケーシング、Ｔ…縦杭、Ｗ…地盤。
【図１】
2016089493.tif 000003
【図２】
2016089493.tif 000004
【図３】
2016089493.tif 000005
【図４】
2016089493.tif 000006
【図５】
2016089493.tif 000007
【図６】
2016089493.tif 000008
【図７】
2016089493.tif 000009
【図８】
2016089493.tif 000010
【図９】
2016089493.tif 000011
【図１０】
2016089493.tif 000012
【図１１】
2016089493.tif 000013
【図１２】
2016089493.tif 000014
【図１３】
2016089493.tif 000015
【図１４】
2016089493.tif 000016
【図１５】
2016089493.tif 000017
【図１６】
2016089493.tif 000018